(57)【要約】【課題】省エネ化をはかり、灯具のコンパクト化を図るとともに、灯具の全体を光らせることができる照明器具を提供する。【解決手段】電源ブロック２１から供給される電力により、灯具２０に収容されている例えばＬＥＤ等の光源を点灯させるので、省エネを図れる。このとき、電源ブロック２１は、引っ掛けシーリング１２に着脱可能に取付けられる基台２２に取付けられているので、灯具２０をコンパクト化できるとともに、灯具２０には電源ブロック２１を覆う不透過部分を設ける必要がなく、影が生じるのを防止して全体を光らせることができる。また、灯具２０は基台２２に着脱可能に取付けられているので、容易に灯具２０を交換して照明の質を変えることができる。【選択図】図１
2011029106.tif 000002
【特許請求の範囲】
【請求項１】
光源を収容する灯具と、
前記光源を点灯させる電力を供給する電源ブロックと、を有する照明器具であって、
被取付部に取付けられた引っ掛けシーリングに着脱可能に取付けられるとともに前記電源ブロックが取付けられる基台を有し、
前記基台には前記灯具が着脱可能かつ前記電源ブロックに導通可能に取付けられることを特徴とする照明器具。
【請求項２】
前記基台は配線ダクトを有し、前記各灯具は前記配線ダクトに１本の同軸ケーブルで吊るされていることを特徴とする請求項１記載の照明器具。
【発明の詳細な説明】
【技術分野】
【０００１】
本発明は、天井面から灯具を吊り下げてテーブル等を照明する吊り下げ型の照明器具に関するものである。
【背景技術】
【０００２】
従来より、照明器具には、天井面から灯具を吊り下げて照明する吊り下げ型の照明器具がある（例えば特許文献１参照）。
【０００３】
以下、図５により従来の照明器具１００について説明する。
図５に示すように、この照明器具１００では、天井面１０１に円環状のレールダクト１０２を設置する。レールダクト１０２には、複数個のシーリングプラグ１０３が着脱自在もしくはレールダクト１０２に対してスライド自在に装着されている。各シーリングプラグ１０３には灯具１０４が吊り下げられており、円環状のレールダクト１０２の任意の位置から灯具１０４を吊り下げることができる。
【０００４】
レールダクト１０２内には商用電源に接続された電源線が設けられており、シーリングプラグ１０３は、レールダクト１０２によって保持されるとともに、レールダクト１０２の電源線から電力の供給を受ける。これにより、灯具１０４を点灯させて、円環状のレールダクト１０２の下方の任意の位置を照明することができる。
【先行技術文献】
【特許文献】
【０００５】
【特許文献１】特開平７−１９２５２２号公報（第１図）
【発明の概要】
【発明が解決しようとする課題】
【０００６】
ところで、従来の照明器具においては、光源として白熱灯を用いており、省エネの観点からＬＥＤ等の光源を用いることが望まれている。この場合、ＬＥＤ等を点灯させるために、交流１００Ｖの商用電源を直流に整流したり、所定の電圧まで降圧する必要があり、電源ブロックを設ける必要がある。
一般に、電源ブロックは灯具に設けられているため、電源ブロックを覆って隠す不透過部分が必要となり、照明に影が生じるという問題があった。また、電源ブロックを設けることにより、灯具が大型化するという問題があった。
【０００７】
本発明は、従来の問題を解決するためになされたもので、省エネ化をはかり、灯具のコンパクト化を図るとともに、灯具の全体を光らせることができる照明器具を提供することを目的とする。
【課題を解決するための手段】
【０００８】
本発明の照明器具は、光源を収容する灯具と、前記光源を点灯させる電力を供給する電源ブロックと、を有する照明器具であって、被取付部に取付けられた引っ掛けシーリングに着脱可能に取付けられるとともに前記電源ブロックが取付けられる基台を有し、前記基台には前記灯具が着脱可能かつ前記電源ブロックに導通可能に取付けられた構成を有している。
【０００９】
この構成により、電源ブロックから供給される電力により、灯具に収容されている例えばＬＥＤ等の光源を点灯させるので、省エネを図れる。このとき、電源ブロックは、引っ掛けシーリングに着脱可能に取付けられる基台に取付けられているので、灯具をコンパクト化できるとともに、灯具には電源ブロックを覆う不透過部分を設ける必要がなく、影が生じるのを防止して全体を光らせることができる。また、灯具は基台に着脱可能に取付けられているので、容易に灯具を交換して照明の質を変えることができる。
【００１０】
また、本発明の照明器具は、前記基台は配線ダクトであり、前記各灯具は前記基台に１本の同軸ケーブルで吊るされている構成を有している。
【００１１】
この構成により、基台が配線ダクトを有するので、複数の灯具を、所望の位置に取付けたり移動することができ、照明するテーブル等の大きさに応じて灯具の数を変えることにより、最適な明るさを得ることができる。さらに、コンパクト化した灯具を、１本の同軸ケーブルにより吊り下げたので、照明器具のバランスを改善することができるとともに、空間に対する視覚的ノイズを軽減することができる。
【発明の効果】
【００１２】
本発明は、電源ブロックから供給される電力により、灯具に収容されている例えばＬＥＤ等の光源を点灯させるので、省エネを図れる。このとき、電源ブロックは、引っ掛けシーリングに着脱可能に取付けられる基台に取付けられているので、灯具をコンパクト化できるとともに、灯具には電源ブロックを覆う不透過部分を設ける必要がなく、影が生じるのを防止して全体を光らせることができる。また、灯具は基台に着脱可能に取付けられているので、容易に灯具を交換して照明の質を変えることができるという効果を有する照明器具を提供できる。
【図面の簡単な説明】
【００１３】
【図１】本発明に係る実施形態の照明器具を示す構成図
【図２】本発明の照明器具の一例を示す構成図
【図３】本発明の照明器具の別の例を示す構成図
【図４】本発明の照明器具のさらに別の例を示す構成図
【図５】従来の吊り下げ型の照明器具の斜視図
【発明を実施するための形態】
【００１４】
以下、本発明の実施形態の照明器具について、図面を用いて説明する。
図１に示すように、本発明に係る実施形態の照明器具１０は、被取付部である天井面１１から吊り下げて使用される。天井面１１には、引っ掛けシーリング１２が取付けられている。
【００１５】
照明器具１０は、例えばＬＥＤ等の光源(図示省略)を収容する灯具２０と、光源を点灯させる電力を供給する電源ブロック２１とを有し、引っ掛けシーリング１２に着脱可能に取付けられるとともに電源ブロック２１が取付けられる基台２２を有する。
【００１６】
灯具２０は、内部に光源を有するとともに、全面を透過材により形成されて、空間に明るさ感を与えるようにしている。基台２２は、端子を引っ掛けシーリング１２に嵌合させて回転させることにより、引っ掛けシーリング１２に機械的に接続するとともに、天井面１１の裏に配線されている商用電源と電気的に接続して、電源ブロック２１に電力を供給する。電源ブロック２１は、例えばＬＥＤに電力を供給する場合には、交流１００Ｖの商用電源を直流に整流するとともに、所定の電圧まで降圧する。
【００１７】
基台２２には配線ダクト２５が一体的に設けられており、電源ブロック２１から配線ダクトに電力が供給される。この配線ダクト２５には灯具２０が着脱可能かつ電源ブロック２１に導通可能に取付けられる。
すなわち、灯具２０には同軸ケーブル２３の一端が取付けられ、同軸ケーブル２３の他端にはプラグ２４が取付けられている。プラグ２４は、例えば、配線ダクト２５の所定位置に設けられているネジ孔にねじ込むことにより接続することができる。あるいは、配線ダクト２５に沿って移動可能かつ電力の供給を受けるスライダにねじ込むことにより、移動可能に接続することができる。
【００１８】
次に、図２〜図５に基づいて、具体例を示す。
図２に示す照明器具１０では、例えば長さ９０ｃｍ〜１２０ｃｍ程度の２人用または４人用のテーブル２６の上方に配線ダクト２５を設け、配線ダクト２５の中央部に２個の灯具２０を設けた。これにより、テーブル２６上面の平均照度を２００Ｌｘ以上になるようにして、ＪＩＳの照度基準にあった、食事に最適な照度が得られるようにする。
【００１９】
図３に示す照明器具１０では、例えば長さ１２０ｃｍ〜１５０ｃｍ程度の４人用のテーブル２６の上方に配線ダクト２５を設け、配線ダクト２５の中央に１個と、その両側に２個の合計３個の灯具２０を設けた。これにより、テーブル２６の大きさに合わせて灯具の数を増やすことにより、テーブル２６上面の平均照度を２００Ｌｘ以上になるようにして、ＪＩＳの照度基準にあった、食事に最適な照度が得られるようにする。
【００２０】
図４に示す照明器具１０では、例えば長さ１５０ｃｍ〜２００ｃｍ程度の６人用のテーブル２６の上方に配線ダクト２５を設け、配線ダクト２５の中央付近に２個と、端部付近に２個の合計４個の灯具２０を設けた。これにより、テーブル２６上面の平均照度を２００Ｌｘ以上になるようにして、ＪＩＳの照度基準にあった、食事に最適な照度が得られるようにする。
【００２１】
以上、説明した実施形態に係る照明器具１０によれば、電源ブロック２１から供給される電力により、灯具２０に収容されている例えばＬＥＤ等の光源を点灯させるので、省エネを図れる。このとき、電源ブロック２１は、天井面１１に取付けられている引っ掛けシーリング１２に着脱可能に取付けられる基台２２に取付けられているので、電源ブロック２１と灯具２０を分離して、灯具２０をコンパクト化できる。
また、灯具２０には電源ブロック２１を覆う不透過部分を設ける必要がないため全体を透過材で形成することができ、影が生じるのを防止して灯具２０の全体を光らせることにより、空間に明るさ感を与えることができる。
また、灯具２０は基台２２に着脱可能に取付けられているので、容易に灯具を交換して照明の質を変えることができる。
【００２２】
また、基台２２が配線ダクト２５を有するので、複数の灯具２０を、所望の位置に取付けることができ、照明するテーブル２６等の大きさに応じて灯具２０の数を変えることにより、最適な明るさを得ることができる。さらに、コンパクト化した灯具２０を、１本の同軸ケーブル２３により吊り下げたので、照明器具１０全体のバランスを改善することができるとともに、空間に対する視覚的ノイズを軽減することができる。
【００２３】
なお、本発明の照明器具は、前述した実施形態に限定されるものでなく、適宜な変形，改良等が可能である。
例えば、前述した実施形態においては、光源としてＬＥＤを用いた場合について説明したが、その他、蛍光灯を用いることもできる。この場合、電源ブロックとしては、インバータ等の点灯装置を用いることができる。
【符号の説明】
【００２４】
１０  照明器具
１１  天井面（被取付部）
１２  引っ掛けシーリング
２０  灯具
２１  電源ブロック
２２  基台
２３  同軸ケーブル
２５  配線ダクト
【図１】
2011029106.tif 000003
【図２】
2011029106.tif 000004
【図３】
2011029106.tif 000005
【図４】
2011029106.tif 000006
【図５】
2011029106.tif 000007